(57)【要約】【課題】画像データ補正装置において、放射線像検出媒体の性能を低下させたり製造コストを増大させたりすることなく上記放射線像検出媒体中の位置による感度差の影響を除いた画像データを得る。【解決手段】一様な放射線照射を受けた放射線像検出媒体１を読み取って得られた放射線像検出媒体１中の位置による感度差を表す一様画像データＤｆの示す一様画像Ｇｆ中から放射線像検出媒体１の欠陥点である複数の補正用特異点Ｐｆを抽出し、被写体の放射線像が記録された放射線像検出媒体１を読み取って得られた被写体画像データＤｔの示す被写体画像Ｇｔ中から上記複数の補正用特異点Ｐｆに対応する各被写体特異点Ｐｔを抽出し、被写体画像データＤｔの値と一様画像データＤｆの値の演算を行う際に、補正用特異点Ｐｆの各位置と被写体特異点Ｐｔの各位置とを互に一致させるように一様画像Ｇｆと被写体画像Ｇｔとを位置合わせして補正する。【選択図】図４
2007132668.tif 000002
【特許請求の範囲】
【請求項１】
一様な放射線照射を受けた放射線像検出媒体を読み取って得られた一様画像データの値を用いて、被写体の放射線像が記録された前記放射線像検出媒体を読み取って得られた前記被写体の放射線像を示す被写体画像データに含まれる前記放射線像検出媒体中の位置による感度差の影響を除去する画像データ補正方法であって、
前記被写体画像データの値と前記一様画像データの値の演算を行う際に、
前記一様画像データの示す一様画像中から前記放射線像検出媒体の欠陥点である複数の補正用特異点を抽出し、
前記被写体画像データの示す被写体画像中から前記複数の補正用特異点に対応する各被写体特異点を抽出し、
前記補正用特異点の各位置と該補正用特異点の各位置に対応する前記被写体特異点の各位置とを互に一致させるように前記一様画像と前記被写体画像とを位置合わせして演算することを特徴とする画像データ補正方法。
【請求項２】
一様な放射線照射を受けた放射線像検出媒体を読み取って得られた一様画像データの値を、被写体の放射線像が記録された前記放射線像検出媒体を読み取って得られた前記被写体の放射線像を示す被写体画像データに含まれる前記放射線像検出媒体中の位置による感度差の影響を除去した感度差除去済画像データを取得する画像データ補正装置であって、
前記一様画像データの示す一様画像中から前記放射線像検出媒体の欠陥点である複数の補正用特異点を抽出する補正用特異点抽出部と、
前記被写体画像データの示す被写体画像中から前記複数の補正用特異点に対応する各被写体特異点を抽出する被写体特異点抽出部と、
前記補正用特異点の各位置と該補正用特異点の各位置に対応する前記被写体特異点の各位置とを互に一致させるように前記一様画像と前記被写体画像とを位置合わせする位置合せ部と、
前記位置合わせ済みの被写体画像を示す位置合せ済被写体画像データの値と、前記位置合わせ済みの一様画像を示す位置合せ済一様画像データとを演算する演算部とを備えていることを特徴とする画像データ補正装置。
【発明の詳細な説明】
【技術分野】
【０００１】
本発明は画像データ補正方法および装置に関し、詳しくは、被写体の放射線像が記録された放射線像検出媒体を読み取って得られた画像データから上記放射線像検出媒体中の位置による感度差の影響を除去する画像データ補正方法および装置に関するものである。
【背景技術】
【０００２】
従来より、放射線を照射するとこの放射線エネルギの一部が蓄積され、その後、可視光等の励起光を照射すると蓄積されたエネルギに応じて輝尽発光を示す蓄積性蛍光体（輝尽性蛍光体）を利用して、人体等の被写体の放射線像を一旦放射線像検出媒体である蓄積性蛍光体シートに記録し、この蓄積性蛍光体シートをレーザ光等の励起光で走査して輝尽発光光を生ぜしめ、得られた輝尽発光光を光電的に読み取って画像信号を得、この画像信号から作成した放射線画像に基づいて診断を行う放射線撮影システムが知られている。
【０００３】
上記放射線撮影システムにおいては、蓄積性蛍光体シートの位置による感度差、すなわち蓄積性蛍光体シートの感度ムラの影響によって上記放射線画像に濃度ムラ、すなわちシェーディングが生じることがある。上記シェーディングを補正する方式としては、一様な放射線照射を受けた蓄積性蛍光体シートを読み取って、この蓄積性蛍光体シート中の位置による感度差を示す一様画像データを得、その後、被写体の放射線像が記録された蓄積性蛍光体シートを読み取って得られた上記放射線像を示す被写体画像データの値と上記一様画像データの値の演算を行う方式が知られている。なお、上記蓄積性蛍光体シートの位置による感度差は、製造上の都合により生じたり、あるいは繰り返し曝射される放射線によるこの蓄積性蛍光体シートの劣化によって生じる。
【０００４】
さらに、被写体画像データが読み取られたときの蓄積性蛍光体シートの読取位置と一様画像データが読み取られたときの蓄積性蛍光体シートの読取位置との違いによって生じる、シェーディング補正における誤差成分を低減するため、蓄積性蛍光体シートに切欠部を設ける方式も知られている（特許文献１参照）。すなわち、上記蓄積性蛍光体シートに切欠部を設ける方式は、一様画像データが示す一様画像中の上記切欠部を示す位置と被写体画像データが示す被写体画像中の上記切欠部を示す位置とを互に一致させて上記感度差の影響を除去する演算を行なうものである。
【０００５】
また、被写体の放射線像を担持した放射線の曝射を受けて上記放射線像を示す潜像電荷が蓄積され、その後、線状に延びる読取用線状光の線順次走査を受けて上記放射線像を示す画像信号が読み出される放射線像検出媒体である放射線固体検出器を備えた放射線像記録読取装置も知られている（特許文献２参照）。この放射線固体検出器の位置による感度差、すなわち感度ムラによって生じるシェーディングの補正に対しても、上記と同様に、放射線固体検出器に切欠部を設けてこの放射線固体検出器の読取位置の違いによって生じる誤差成分を低減する方式を適用することができる。
【特許文献１】特開２０００−１３５９９号公報
【特許文献２】特開２０００−２８４０５７号公報
【発明の開示】
【発明が解決しようとする課題】
【０００６】
しかしながら、上記のような放射線像検出媒体の位置決め基準に用いる高精度な切欠部の加工をこの放射線像検出媒体に施すと、放射線像検出媒体の製造コストが増大するとともに、放射線像検出媒体の剛性が低下するという問題がある。
【０００７】
本発明は、上記事情に鑑みてなされたものであり、放射線像検出媒体の性能を低下させたり製造コストを増大させたりすることなく上記放射線像検出媒体中の位置による感度差の影響を除いた画像データを得ることができる画像データ補正方法および装置を提供することを目的とするものである。
【課題を解決するための手段】
【０００８】
本発明の画像データ補正方法は、一様な放射線照射を受けた放射線像検出媒体を読み取って得られた一様画像データの値を用いて、被写体の放射線像が記録された前記放射線像検出媒体を読み取って得られた前記被写体の放射線像を示す被写体画像データに含まれる放射線像検出媒体中の位置による感度差の影響を除去する画像データ補正方法であって、被写体画像データの値と一様画像データの値の演算を行う際に、一様画像データの示す一様画像中から前記放射線像検出媒体の欠陥点である複数の補正用特異点を抽出し、被写体画像データの示す被写体画像中から前記複数の補正用特異点に対応する各被写体特異点を抽出し、補正用特異点の各位置と該補正用特異点の各位置に対応する被写体特異点の各位置とを互に一致させるように一様画像と被写体画像とを位置合わせして演算することを特徴とするものである。
【０００９】
本発明の画像データ補正装置は、一様な放射線照射を受けた放射線像検出媒体を読み取って得られた一様画像データの値を用いて、被写体の放射線像が記録された前記放射線像検出媒体を読み取って得られた前記被写体の放射線像を示す被写体画像データに含まれる前記放射線像検出媒体中の位置による感度差の影響を除去した感度差除去済画像データを取得する画像データ補正装置であって、一様画像データの示す一様画像中から前記放射線像検出媒体の欠陥点である複数の補正用特異点を抽出する補正用特異点抽出部と、被写体画像データの示す被写体画像中から前記複数の補正用特異点に対応する各被写体特異点を抽出する被写体特異点抽出部と、補正用特異点の各位置と該補正用特異点の各位置に対応する被写体特異点の各位置とを互に一致させるように一様画像と被写体画像とを位置合わせする位置合せ部と、位置合わせ済みの被写体画像を示す位置合せ済被写体画像データの値と、位置合わせ済みの一様画像を示す位置合せ済一様画像データを演算する演算部とを備えていることを特徴とするものである。
【００１０】
前記「一様な放射線照射を受ける」とは、いずれの場所においても単位面積当たり一定量の放射線の曝射を受けることを意味する。これは放射線量子のゆらぎの影響が十分小さい条件でもある。
【００１１】
前記感度は、放射線像検出媒体が受けた放射線の曝射量から、この曝射量に対応する上記放射線像検出媒体を読み取って得られた上記放射線の曝射量を示す画像データの値への変換の度合いを意味するものである。また、感度差とは、上記変換の度合いの差を意味するものである。
【００１２】
前記一様画像データは、一様な放射線照射に対応する上記放射線像検出媒体中のいずれの位置においても一定であるバイアス成分と上記放射線像検出媒体中の位置による感度差によって生じる感度差分のみを示す成分とを含むものであってもよいし、または上記感度差分のみを示す成分だけを含むものであってもよいし、あるいは上記バイアス成分の一部と感度差分のみを示す成分とを含むものであってもよい。
【００１３】
前記画像データ補正方法は、例えば、一様な放射線照射を受けた放射線像検出媒体を読み取って得られた前記放射線像検出媒体中の位置による感度差を示す一様画像データの値を、被写体の放射線像が記録された前記放射線像検出媒体を読み取って得られた前記被写体の放射線像を示す被写体画像データの値から差し引いて、前記被写体画像データに含まれる前記放射線像検出媒体中の位置による感度差の影響を除去する画像データ補正方法であって、前記被写体画像データの値から前記一様画像データの値を差し引く際に、前記一様画像データの示す一様画像中から前記放射線像検出媒体の欠陥点である複数の補正用特異点を抽出し、前記被写体画像データの示す被写体画像中から前記複数の補正用特異点に対応する各被写体特異点を抽出し、前記補正用特異点の各位置と該補正用特異点の各位置に対応する前記被写体特異点の各位置とを互に一致させるように前記一様画像と前記被写体画像とを位置合わせして差し引くものとしてもよい。
【発明の効果】
【００１４】
本発明の画像データ補正方法および装置によれば、放射線像検出媒体中の位置による感度差の影響を除去すべく被写体画像データの値と一様画像データの値を演算する際に、一様画像データの示す一様画像中から放射線像検出媒体の欠陥点である複数の補正用特異点を抽出し、被写体画像データの示す被写体画像中から上記複数の補正用特異点に対応する各被写体特異点を抽出し、補正用特異点の各位置と上記補正用特異点の各位置に対応する被写体特異点の各位置とを互に一致させるように一様画像と被写体画像とを位置合わせして演算するようにしたので、従来の放射線像検出媒体に設けられていた切欠き部の代わりに上記欠陥点を用いることができ、放射線像検出媒体の性能を低下させたり製造コストを増大させることなく上記放射線像検出媒体中の位置による感度差の影響を除いた画像データを得ることができる。
【発明を実施するための最良の形態】
【００１５】
以下、本発明の実施の形態について、図面を用いて説明する。図１は本発明の実施形態による画像データ補正装置とこの画像データ補正装置に入力される画像データを読み取る放射線像読取装置とを示す概略図、図２（ａ）は一様な放射線照射を受けた蓄積性蛍光体シートを読み取って得られた一様画像を示す図、図２（ｂ）は被写体の放射線像が記録された蓄積性蛍光体シートを読み取って得られた被写体画像を示す図である。
【００１６】
図１に示す本発明の実施の形態による画像データ補正装置２００は、放射線像読取装置１００により蓄積性蛍光体シート１を読み取って得られた画像データの補正に使用するものである。
【００１７】
上記画像データ補正装置２００は、一様な放射線照射を受けた放射線像検出媒体である蓄積性蛍光体シート１を放射線像読取装置１００で読み取って得られた、蓄積性蛍光体シート１中の位置による感度差を示す一様画像データＤｆｓの値を、被写体である、例えば生体の放射線像が記録された上記蓄積性蛍光体シート１を放射線像読取装置１００で読み取って得られた上記被写体の放射線像を示す被写体画像データＤｔの値と演算して、被写体画像データＤｔに含まれる蓄積性蛍光体シート１の位置による感度差の影響を除去した感度差除去済画像データＤＤｚを取得するものである。
【００１８】
この画像データ補正装置２００は、一様な放射線照射を受けた放射線像検出媒体である蓄積性蛍光体シート１を放射線像読取装置１００で読み取って得られた、蓄積性蛍光体シート１中の位置による感度差を示す一様画像データＤｆの示す一様画像Ｇｆ中から蓄積性蛍光体シート１の欠陥点である複数の補正用特異点Ｐｆを抽出する補正用特異点抽出部４１と、被写体画像データＤｔの示す被写体画像Ｇｔ中から上記複数の補正用特異点Ｐｆに対応する各被写体特異点Ｐｔを抽出する被写体特異点抽出部４２と、補正用特異点Ｐｆの各位置と上記補正用特異点Ｐｆの各位置に対応する被写体特異点Ｐｔの各位置とを互に一致させるように一様画像Ｇｆと被写体画像Ｇｔとを位置合わせする位置合せ部４３と、位置合わせ済みの被写体画像を示す位置合せ済被写体画像データＤｔｚの値と、位置合わせ済みの一様画像を示す位置合せ済一様画像データＤｆｚを演算して感度差除去済画像データＤＤｚを取得する演算部４４とを備えている。
【００１９】
なお、放射線像読取装置１００が、一様な放射線照射を受けた蓄積性蛍光体シート１を読み取って、蓄積性蛍光体シート１中の位置による感度差を示す上記一様画像データＤｆ得るとともに、被写体の放射線像が記録された上記蓄積性蛍光体シート１を読み取って被写体の放射線像を示す被写体画像データＤｔを得る。そして、放射線像読取装置１００から出力された一様画像データＤｆおよび被写体画像データＤｔのそれぞれが、画像データ補正装置２００へ入力される。
【００２０】
以下、放射線像読取装置１００の構成について説明する。
【００２１】
放射線像読取装置１００は、蓄積性蛍光体シート１を図中矢印Ｙ方向に搬送するための、モータ８ａ，８ｂのそれぞれにより回転せしめられるエンドレスベルト９ａ，９ｂを備えている。これらのエンドレスベルト９ａ，９ｂの上方(図中矢印＋Ｚ方向)には、線状の励起光Ｌｅを発するように半導体レーザが線状に配列されたアレイ光源１０が配設されている。
【００２２】
アレイ光源１０により線状の励起光Ｌｅの照射を受ける蓄積性蛍光体シート１上の線状の領域の下方（図中矢印−Ｚ方向）には、輝尽発光光Ｌｋを検出するラインセンサ１４が配置されている。ラインセンサ１４は、蓄積性蛍光体シート１の搬送方向（図中矢印Ｙ方向）に対して直交する方向（図中矢印Ｘ方向）に延びるように配置されている。上記励起光Ｌｅは蓄積性蛍光体シート１上の表面１Ａの側（図中矢印＋Ｚ方向の側）に照射され、上記ラインセンサ１４は、上記励起光Ｌｅの照射を受けた蓄積性蛍光体シート１の表面１Ａの側とは反対の裏面１Ｂの側（図中矢印−Ｚ方向の側）から発せられた輝尽発光光Ｌｋを検出し、この蓄積性蛍光体シート１に記録された放射線像を示す画像データを出力する。
【００２３】
ラインセンサ１４は、フォトコンダクタあるいはフォトダイオード等の固体光電変換素子を線状に配列して構成され、各光電変換素子により輝尽発光光を光電変換することにより得られる信号が、放射線像を示す画像の１画素を表すものとなる。なお、ラインセンサ１４の受光面の側には、蓄積性蛍光体シート１上の線状の励起光照射領域からの輝尽発光光を固体光電変換素子上に集光するためのセルフォックレンズアレイなどの光学系および励起光Ｌｅをカットし輝尽発光光Ｌｋを透過させる励起光カットフィルタ１５が設けられている。なお、図とは逆にラインセンサがアレイ光源と同様に蓄積性蛍光体シート１上の表面１Ａの側に配置されていても良いし、両側に配置されていても良い。
【００２４】
次に、上記放射線像読取装置１００の動作について説明する。
【００２５】
始めに、一様に放射線が照射された蓄積性蛍光体シート１を、エンドレスベルト９ａ，９ｂ上に載置する。そして、この蓄積性蛍光体シート１をエンドレスベルト９ａ，９ｂにより副走査方向（図中矢印Ｙ方向）に搬送しつつ、アレイ光源１０から発せられた上記副走査方向と概略直交する主走査方向（図中概略矢印Ｘ方向）に延びる線状の励起光Ｌｅを蓄積性蛍光体シート１の表面１Ａの側に照射する。
【００２６】
ラインセンサ１４は、上記と同様に、励起光Ｌｅの照射を受けた蓄積性蛍光体シート１の裏面１Ｂの側から発せられた輝尽発光光Ｌｋを検出し上記蓄積性蛍光体シート１の位置による感度差を示す一様画像データＤｆを出力する。
【００２７】
次に、上記放射線像読取装置１００から取り外された蓄積性蛍光体シート１に対して被写体の放射線像が記録される。そして、上記被写体の放射線像が記録された蓄積性蛍光体シート１をエンドレスベルト９ａ，９ｂ上に載置する。そして、上記と同様に、この蓄積性蛍光体シート１をエンドレスベルト９ａ，９ｂにより副走査方向に搬送しつつ、アレイ光源１０から発せられた主走査方向に延びる線状の励起光Ｌｅを蓄積性蛍光体シート１へ照射する。
【００２８】
ラインセンサ１４は、蓄積性蛍光体シート１の裏面１Ｂの側から発せられた輝尽発光光Ｌｋを検出し蓄積性蛍光体シート１に記録された上記被写体の放射線像を示す被写体画像データＤｔを出力する。
【００２９】
図２（ａ）に示すように、一様画像データＤｆの表す一様画像Ｇｆは蓄積性蛍光体シート１中の場所による感度差、すなわち感度ムラを示すものである。ここでは、例えば、他の領域とは感度が異なり感度差が生じた感度差発生領域Ｒfが存在するものとする（実際には蓄積性蛍光体シート１の全面にわたって蓄積性蛍光体の構造モトルや膜厚分布などを反映した感度ムラが存在しており、それがＲｆに相当するが、判りやすくするために上記のような模式化した例を用いて説明する）。被写体画像データＤｔの示す被写体画像Ｇｔは、図２（ｂ）に示すように、上記被写体の放射線像を示す成分が上記一様画像Ｇｆを示す成分で変調されたものである。すなわち、被写体画像Ｇｔ中にも、他の領域とは感度が異なり感度差が生じた感度差発生領域Ｒtが存在する。
【００３０】
つづいて、上記画像データ補正装置２００の動作について説明する。
【００３１】
補正用特異点抽出部４１は、一様画像データＤｆの示す一様画像Ｇｆ中から蓄積性蛍光体シート１の欠陥点である複数の補正用特異点Ｐｆを抽出する。ここでは、補正用特異点抽出部４１は、図２（ａ）に示すように、一様画像データＤｆの示す一様画像Ｇｆ中から、参照蓄積性蛍光体シート１の欠陥点である複数の補正用特異点Ｐｆの位置を抽出する。
【００３２】
一方、被写体特異点抽出部４２は、ラインセンサ１４から入力された被写体画像データＤｔの示す被写体画像Ｇｔ中から上記複数の補正用特異点Ｐｆに対応する各被写体特異点Ｐｔの位置を抽出する(図２（ｂ）参照)。
【００３３】
以下、補正用特異点の抽出について説明する。
【００３４】
はじめに、上記蓄積性蛍光体シート１中の欠陥点を示す特異点（以後、候補特異点という）を抽出し、次に上記抽出された候補特異点のうちから補正用特異点を選択する。
【００３５】
上記候補特異点としては、一様画像Ｇｆ中において周囲との濃度差が一定以上に大きい点を抽出する。すなわち、抽出された候補特異点の濃度を示す一様画像データＤｆの値はこの候補特異点の周囲の濃度を示す一様画像データＤｆの値との差が予め定められた閾値以上となる。
【００３６】
なお、上記候補特異点は必ずしもラインセンサ１４中の１つの光電変換素子、すなわち一様画像Ｇｆ中の１画素に対応する場合に限らず、複数の光電変換素子あるいは画素に対応するものであってもよい。
【００３７】
次に、候補特異点のうちから補正用特異点を抽出する場合について説明する。
【００３８】
補正用特異点は、上記候補特異点のうちから互いの間隔がより離れている点を抽出することが望ましく、これにより、上記一様画像Ｇｆと被写体画像Ｇｔとの位置合わせの精度をより高めることができる。
【００３９】
また、蓄積性蛍光体シート１の中央部に被写体の主要部が記録され周縁部は素抜け状態、つまり放射線を吸収する物体を通ることなくその放射線が蓄積性蛍光体シート１に直接曝射されることが多いので、上記中央部から外れた蓄積性蛍光体シート１の周縁部に存在する点を補正用特異点として抽出することが望ましい。このような場合には、上記蓄積性蛍光体シート１の周縁部に存在する候補特異点のうち、実際に受けた放射線の曝射量よりも放射線の曝射量が少ないことを示す画像データが出力される点を補正用特異点として抽出することが望ましい。
【００４０】
具体的には、まず始めに、一様画像Ｇｆ中において周囲との濃度差が一定以上に大きい点を候補特異点として抽出する。
【００４１】
次に、上記抽出された候補特異点のうちから、互いの間隔がより離れているものを補正用特異点として抽出する。ここでは、図２（ａ）に示すように、３点の補正用特異点Ｐｆを抽出する。なお、上記補正用特異点は３点を抽出する場合に限らない。
【００４２】
次に、被写体特異点Ｐｔの抽出について説明する。
【００４３】
被写体特異点抽出部４２が、被写体画像Ｇｔ中から上記補正用特異点Ｐｆに対応する各被写体特異点Ｐｔを抽出する。その場合には、上記３つの補正用特異点Ｐｆの互いの位置関係と等しい位置関係を持つ被写体画像Ｇｔ中の３つの点の中からを２つ以上の周囲との濃度差が一定以上に大きい点を被写体特異点として抽出し、それらを被写体特異点Ｐｔとして定める（図２（ｂ）参照）。
【００４４】
上記被写体特異点Ｐｔは、一様画像Ｇｆ中の候補特異点の近傍にほぼ同じ位置関係で存在するので、従来より知られている画像処理の手法等を利用することにより被写体特異点Ｐｔを容易に抽出することができる。
【００４５】
つづいて、一様画像Ｇｆと被写体画像Ｇｔとの位置合わせについて説明する。
【００４６】
図３（ａ）は蓄積性蛍光体シートに記録された一様画像を示す図、図３（ｂ）は蓄積性蛍光体シートに記録された被写体画像を示す図、図４は上記蓄積性蛍光体シートに記録された一様画像と被写体画像との位置合わせを行った図である。
【００４７】
放射線像読取装置１００のエンドレスベルト９ａ，９ｂ上に載置される蓄積性蛍光体１の姿勢は、放射線像読取装置１００の装置ベースに対して通常ほぼ一定になるように調整されるが、読取りを実行する毎に微妙にその姿勢は変わる。
【００４８】
したがって、図３（ａ）、（ｂ）に示すように、被写体画像Ｇｔが読み取られたときの蓄積性蛍光体シート１の姿勢と一様画像Ｇｆが読み取られたときの蓄積性蛍光体シート１の姿勢とはずれている（図は説明のためにずれを誇張している）。そのため、図４に示すように、補正用特異点Ｐｆと被写体特異点Ｐｔの位置を互に一致させるためには、一様画像データＤｆと被写体画像データＤｔを相対的に移動、回転、拡大縮小、などの演算を行って読取の際の誤差を補正する必要がある。そうすることにより、蓄積性蛍光体シート１中において他の領域とは感度が異なり感度差が生じた感度差発生領域Ｒｆと感度差発生領域Ｒｔの位置も互に一致する（微妙な構造の違いも一致する）。
【００４９】
補正用特異点Ｐｆと被写体特異点Ｐｔとは蓄積性蛍光体シート１中の同一の欠陥点を示すものである。また、同様に、一様画像Ｇｆ中に現れる上記感度差の影響による濃淡ムラ（例えば感度差発生領域Ｒｆ）と被写体画像Ｇｔ中に現れる感度差の影響による濃淡ムラ（例えば感度差発生領域Ｒｔ）とは蓄積性蛍光体シート１中の他の領域とは感度が異なる同一領域を示すものである。
【００５０】
そこで、位置合せ部４３により、蓄積性蛍光体シート１中の同じ欠陥点を示す補正用特異点Ｐｆと被写体特異点Ｐｔの互いの位置を一致させるように一様画像Ｇｆと被写体画像Ｇｔとを位置合わせするための座標変換を行なう。そして、演算部４４により、上記座標変換された位置合わせ済みの被写体画像を示す位置合せ済被写体画像データＤｔｚの値と、上記座標変換された位置合わせ済みの一様画像を示す位置合せ済一様画像データＤｆｚの値の演算を行う。これにより、上記感度を正確に補正することができ、上記蓄積性蛍光体シート１の場所による感度差の影響を除去した画像データを得ることができる。なお、上記被写体特異点も感度差が生じた領域であるので、上記演算によって除去される。極端に大きな濃度差があって除去しきれない場合は、被写体特異点の周辺の画像データを使って補間するなどの方法で視認できないように画像処理しても良い。
【００５１】
なお、位置合せ部４３は、ｊ−ｋ座標上における補正用特異点Ｐｆの座標、ｖ−ｗ座標上における被写体特異点Ｐｔの座標、および上記補正用特異点Ｐｆのそれぞれに対応する各被写体特異点Ｐｔが互いに蓄積性蛍光体シート上の同一位置を示すことを利用し、同一座標軸上において、補正用特異点Ｐｆの座標と被写体特異点Ｐｔの座標とを一致させるように一様画像データＤｆと被写体画像データＤｔのそれぞれを座標変換する。
【００５２】
より具体的には、位置合せ部４３の演算子取得部４３Ａが、補正用特異点Ｐｆの座標と被写体特異点Ｐｔの座標を同一座標軸上において一致させるように一様画像データＤｆを座標変換するためのマトリクス演算子ＭＦを求める。これとともに、上記演算子取得部４３Ａは、補正用特異点Ｐｆの座標と被写体特異点Ｐｔの座標を上記同一座標軸上において一致させるように被写体画像データＤｔを座標変換するためのマトリクス演算子ＭＴを求める。
【００５３】
ここでは、上記同一座標として説明済みの上記ｖ−ｗ座標を選択する。そして、位置合せ部４３の感度座標変換部４３Ｂが、ｊ−ｋ座標上における一様画像Ｇｆの各点に対し所定のシフト、所定の拡大縮小、および所定の回転を加える上記マトリクス演算子ＭＦを用いた演算を施すことにより、ｊ−ｋ座標上の各点を上記同一座標となるｖ−ｗ座標上の各点に座標変換する。これにより、上記ｊ−ｋ座標上に示される一様画像データＤｆを、ｖ−ｗ座標上に示されるように座標変換してなる位置合せ済一様画像データＤｆｚを得ることができる。
【００５４】
一方、被写体画像Ｇｔは既に上記同一座標であるｖ−ｗ座標上に示されているので、座標変換は施さない。言い換えれば、位置合せ部４３の被写体座標変換部４３Ｃが、ｖ−ｗ座標上における被写体画像Ｇｔの各点に対しシフト量０、拡大縮小比1、および回転量０とした上記マトリクス演算子ＭＴを用いた演算を施すことにより上記ｖ−ｗ座標上の各点を上記同一座標であるｖ−ｗ座標上の各点に座標変換する。これにより被写体座標変換部４３Ｃは位置合せ済被写体画像データＤｔｚを得る。ここでは、被写体画像Ｇｔと位置合せ済被写体画像データＤｔｚとは互に一致するものとなる。
【００５５】
そして、演算部４４が、上記選択された同一座標であるｖ−ｗ座標上に示される、被写体画像Ｇｔを示す位置合せ済被写体画像データＤｔｚと一様画像Ｇｆを示す位置合せ済一様画像データＤｆｚの演算を行う（発光量がＸ線量に対して直線的な関係にある場合はＤｔｚをＤｆｚで割ることになる。共に対数データ化してあればｌｏｇ(Ｄｔｚ)からｌｏｇ(Ｄｆｚ)を引く。）ことにより、位置合せ済被写体画像データＤｔｚに含まれる蓄積性蛍光体シート１の場所による感度差の影響を除いた感度差除去済画像データＤＤｚを得ることができる。すなわち、被写体画像データＤｔに含まれる蓄積性蛍光体シート１の場所による感度差の影響を除いた感度差除去済画像データＤＤｚを得ることができる。
【００５６】
これにより、放射線像検出媒体の性能を低下させたり製造コストを増大させたりすることなく上記放射線像検出媒体中の位置による感度差の影響を除いた画像データを得ることができる。
【００５７】
なお、上記被写体画像データおよび一様画像データはデジタル値で示されるデータであってもよいしアナログ値で示されるデータであってもよい。
【００５８】
また、位置合せ部は、被写体画像および一様画像の両方を座標変換して位置合わせするものであってもよいし、あるいは、いずれか一方のみを座標変換して位置合わせするものとしてもよい。
【００５９】
また、上記実施形態においては、蓄積性蛍光体シートに記録された放射線像を読み取る場合について説明したが、このような場合に限定されるものではない。例えば、被写体の放射線像を担持した放射線の曝射を受けて上記放射線像を示す潜像電荷が蓄積され、その後、読取用線状光の照射を受けて上記放射線像を示す画像信号が読み出される放射線像固体検出器（特開２０００−２８４０５７号公報参照）等のデジタルラジオグラフィ（ＤＲ）に使用される放射線像検出媒体を利用して被写体の放射線像を読み取る場合であっても上記と同様の手法を適用することができる。
【００６０】
なお、上記演算は、例えば、一様な放射線照射を受けた放射線像検出媒体を読み取って得られた前記放射線像検出媒体中の位置による感度差を示す一様画像データの値を、被写体の放射線像が記録された前記放射線像検出媒体を読み取って得られた前記被写体の放射線像を示す被写体画像データの値から差し引くものとしてもよい。
【図面の簡単な説明】
【００６１】
【図１】本発明の実施形態による画像データ補正装置とこの画像データ補正装置に組み合わせる放射線像読取装置とを示す概略図
【図２】図２（ａ）は一様な放射線照射を受けた蓄積性蛍光体シートを読み取って得られた一様画像を示す図、図２（ｂ）は被写体の放射線像が記録された蓄積性蛍光体シートを読み取って得られた被写体画像を示す図
【図３】図３（ａ）は蓄積性蛍光体シートに記録された一様画像を示す図、図３（ｂ）は蓄積性蛍光体シートに記録された被写体画像を示す図
【図４】蓄積性蛍光体シートを基準にして上記蓄積性蛍光体シートに記録された一様画像と被写体画像とを示す図
【符号の説明】
【００６２】
１    蓄積性蛍光体シート
４１    補正用特異点抽出部
４２    被写体特異点抽出部
４３    位置合せ部
４４    演算部
１００    放射線像読取装置
２００    画像データ補正装置
ＤＤｚ    感度差除去済画像データ
Ｐｆ    補正用特異点
Ｄｔ    被写体画像データ
Ｇｔ    被写体画像
Ｐｔ    被写体特異点
Ｄｔｚ    位置合せ済被写体画像データ
Ｄｆｚ    位置合せ済一様画像データ
【図１】
2007132668.tif 000003
【図２】
2007132668.tif 000004
【図３】
2007132668.tif 000005
【図４】
2007132668.tif 000006